(57)【要約】【課題】部品点数の増加および装置構成の複雑化を抑制することが可能な画像診断用撮影装置を提供する。【解決手段】このＰＥＴ装置１００（画像診断用撮影装置）は、人体Ｔを撮影する検出部１１を含む撮影ユニット１と、撮影ユニット１を回動させることによって、人体Ｔの頭部Ｔ１を撮影する頭部撮影状態と、人体Ｔの頭部Ｔ１とは異なる乳房Ｔ２を撮影する乳房撮影状態とに撮影ユニット１を切り替えるための回動機構部３とを備える。【選択図】図１
2018031656.tif 000002
【特許請求の範囲】
【請求項１】
撮影対象を撮影する撮影部を含む撮影ユニットと、
前記撮影ユニットを回動させることによって、撮影対象の第１撮影対象部位を撮影する第１の状態と、撮影対象の前記第１撮影対象部位とは異なる第２撮影対象部位を撮影する第２の状態とに前記撮影ユニットを切り替えるための回動機構部とを備える、画像診断用撮影装置。
【請求項２】
前記撮影ユニットは、前記第１の状態において、前記第１撮影対象部位が配置され、前記第２の状態において、前記第２撮影対象部位が配置される撮影領域をさらに含み、
前記撮影部は、前記撮影領域を取り囲むように配置されている、請求項１に記載の画像診断用撮影装置。
【請求項３】
撮影対象としての人体が臥位で配置される寝台部をさらに備え、
前記回動機構部は、前記寝台部の長手方向と直交する短手方向に延びるように前記撮影ユニットに設けられ、前記撮影ユニットの回動中心となる回動軸部を含む、請求項１または２に記載の画像診断用撮影装置。
【請求項４】
前記撮影ユニットは、前記第１の状態において、臥位の人体の前記第１撮影対象部位としての頭部が配置され、前記第２の状態において、臥位の人体の前記第２撮影対象部位としての乳房が配置される撮影領域をさらに含み、
前記回動軸部は、前記第１の状態の前記撮影ユニットにおいて、前記撮影領域の前記寝台部とは反対側の開口近傍に設けられている、請求項３に記載の画像診断用撮影装置。
【請求項５】
前記撮影ユニットは、前記第１の状態において、臥位の人体の前記第１撮影対象部位としての頭部が配置され、前記第２の状態において、臥位の人体の前記第２撮影対象部位としての乳房が配置される撮影領域をさらに含み、
前記回動軸部は、前記第１の状態の前記撮影ユニットにおいて、前記撮影領域の前記寝台部側の開口近傍に設けられている、請求項３に記載の画像診断用撮影装置。
【請求項６】
前記回動軸部は、前記寝台部の上面と略同じ高さ位置に設けられている、請求項４または５に記載の画像診断用撮影装置。
【請求項７】
前記寝台部の前記撮影ユニット側の端部に着脱可能に取り付けられ、人体の頭部を支持するヘッドレスト部をさらに備える、請求項３〜６のいずれか１項に記載の画像診断用撮影装置。
【請求項８】
前記撮影ユニットは、前記第２の状態において、前記寝台部から離れる方向に延びるように設けられ、人体を支持する支持部を含む、請求項３〜７のいずれか１項に記載の画像診断用撮影装置。
【請求項９】
前記第１撮影対象部位は、仰臥位の人体の頭部であり、前記第１の状態は、前記撮影部が人体の頭部を鉛直面内で取り囲む状態であり、
前記第２撮影対象部位は、伏臥位の人体の乳房であり、前記第２の状態は、前記撮影部が人体の乳房を水平面内で取り囲む状態である、請求項１〜８のいずれか１項に記載の画像診断用撮影装置。
【発明の詳細な説明】
【技術分野】
【０００１】
本発明は、画像診断用撮影装置に関する。
【背景技術】
【０００２】
従来、撮影対象を撮影する撮影部を備える画像診断用撮影装置が知られている（たとえば、特許文献１参照）。
【０００３】
上記特許文献１には、消滅放射線を検出する全身用ＰＥＴ（Ｐｏｓｉｔｒｏｎ  Ｅｍｉｓｓｉｏｎ  ｔｏｍｏｇｒａｐｈｙ）検出器を含む全身用ＰＥＴ装置と、消滅放射線を検出する特定部位（頭部または乳房）用ＰＥＴ検出器を含む特定部位用ＰＥＴ装置とを備えるＰＥＴ装置が開示されている。このＰＥＴ装置では、詳細な撮影を必要とする特定部位に対応する特定部位用ＰＥＴ装置を全身用ＰＥＴ装置に設けることによって、特定部位を詳細に撮影しつつ、広範囲を撮影することが可能に構成されている。
【先行技術文献】
【特許文献】
【０００４】
【特許文献１】国際公開第２０１１／１２５２１２号
【発明の概要】
【発明が解決しようとする課題】
【０００５】
しかしながら、上記特許文献１に記載のＰＥＴ装置では、異なる特定部位を詳細に撮影するためには、それぞれの特定部位の撮影に対応する別々の特定部位用ＰＥＴ装置を必要とする。このため、部品点数が増加するとともに、装置構成が複雑化するという問題点がある。
【０００６】
この発明は、上記のような課題を解決するためになされたものであり、この発明の１つの目的は、部品点数の増加および装置構成の複雑化を抑制することが可能な画像診断用撮影装置を提供することである。
【課題を解決するための手段】
【０００７】
上記目的を達成するために、この発明の一の局面における画像診断用撮影装置は、撮影対象を撮影する撮影部を含む撮影ユニットと、撮影ユニットを回動させることによって、撮影対象の第１撮影対象部位を撮影する第１の状態と、撮影対象の第１撮影対象部位とは異なる第２撮影対象部位を撮影する第２の状態とに撮影ユニットを切り替えるための回動機構部とを備える。
【０００８】
この発明の一の局面による画像診断用撮影装置では、上記のように、撮影ユニットを回動させることによって、撮影対象の第１撮影対象部位を撮影する第１の状態と、撮影対象の第１撮影対象部位とは異なる第２撮影対象部位を撮影する第２の状態とに撮影ユニットを切り替えるための回動機構部を備える。これにより、回動機構部により撮影ユニットを回動させることによって、異なる撮影対象部位を撮影する状態に撮影ユニットを切り替えることができるので、各々の撮影対象部位毎に専用の撮影ユニットを設ける必要がない。この結果、画像診断用撮影装置において、部品点数の増加および装置構成の複雑化を抑制することができる。
【０００９】
上記一の局面による画像診断用撮影装置において、好ましくは、撮影ユニットは、第１の状態において、第１撮影対象部位が配置され、第２の状態において、第２撮影対象部位が配置される撮影領域をさらに含み、撮影部は、撮影領域を取り囲むように配置されている。このように構成すれば、撮影領域を取り囲むように配置された撮影部により、撮影領域に配置された第１撮影対象部位または第２撮影対象部位を確実に撮影することができる。
【００１０】
上記一の局面による画像診断用撮影装置において、好ましくは、撮影対象としての人体が臥位で配置される寝台部をさらに備え、回動機構部は、寝台部の長手方向と直交する短手方向に延びるように撮影ユニットに設けられ、撮影ユニットの回動中心となる回動軸部を含む。このように構成すれば、回動軸部が長手方向に延びる場合と比べて、回動軸部および回動機構部が大型化するのを抑制することができるので、画像診断用撮影装置が大型化するのをより抑制することができる。
【００１１】
上記回動機構部が回動軸部を含む構成において、好ましくは、撮影ユニットは、第１の状態において、臥位の人体の第１撮影対象部位としての頭部が配置され、第２の状態において、臥位の人体の第２撮影対象部位としての乳房が配置される撮影領域をさらに含み、回動軸部は、第１の状態の撮影ユニットにおいて、撮影領域の寝台部とは反対側の開口近傍に設けられている。このように構成すれば、撮影領域の寝台部とは反対側の開口近傍に回動軸部を設けることによって、撮影ユニットの回動範囲が寝台部に近づくのを抑制することができるので、寝台部により撮影ユニットの回動が阻害されるのを抑制することができる。また、撮影領域の開口近傍に回動軸部を設けることによって、回動軸部周辺の狭い回動範囲内に撮影領域を位置させることができるので、撮影領域が寝台部に対して離間するのを抑制することができる。
【００１２】
上記回動機構部が回動軸部を含む構成において、好ましくは、撮影ユニットは、第１の状態において、臥位の人体の第１撮影対象部位としての頭部が配置され、第２の状態において、臥位の人体の第２撮影対象部位としての乳房が配置される撮影領域をさらに含み、回動軸部は、第１の状態の撮影ユニットにおいて、撮影領域の寝台部側の開口近傍に設けられている。このように構成すれば、撮影領域の寝台部側の開口近傍に回動軸部を設けることによって、回動機構部の回動軸部を支える部分が、画像診断用撮影装置の寝台部とは反対側にはみ出るのを抑制することができるので、画像診断用撮影装置が大型化するのを抑制することができる。また、撮影領域の開口近傍に回動軸部を設けることによって、回動軸部周辺の狭い回動範囲内に撮影領域を位置させることができるので、撮影領域が寝台部に対して離間するのを抑制することができる。
【００１３】
上記撮影領域の開口近傍に回動軸部を設ける構成において、好ましくは、回動軸部は、寝台部の上面と略同じ高さ位置に設けられている。このように構成すれば、寝台部の上面と略同じ高さ位置に回動軸部を設けることによって、寝台部の上面から離間した高さ位置に回動軸部を設ける場合と比べて、撮影領域が寝台部の上面に対して離間するのを抑制することができる。
【００１４】
上記寝台部をさらに備える構成において、好ましくは、寝台部の撮影ユニット側の端部に着脱可能に取り付けられ、人体の頭部を支持するヘッドレスト部をさらに備える。このように構成すれば、ヘッドレスト部を寝台部の撮影ユニット側の端部に装着した場合には、ヘッドレスト部の位置を調整することによって、臥位の人体の頭部を撮影領域の適切な位置に配置することができる。これにより、臥位の人体の頭部を撮影対象部位として撮影する場合に、撮影部により臥位の人体の頭部を撮影しやすくすることができる。また、ヘッドレスト部を寝台部の撮影ユニット側の端部から取り外すことによって、ヘッドレスト部が撮影ユニットの回動の妨げとなるのを防止することができる。
【００１５】
上記寝台部をさらに備える構成において、好ましくは、撮影ユニットは、第２の状態において、寝台部から離れる方向に延びるように設けられ、人体を支持する支持部を含む。ここで、胸部などの人体の中心近傍を第２撮影対象部位として撮影する場合に、人体の一部は、撮影ユニットの撮影領域よりも、寝台部から離れる方向に位置することになる。そこで、本発明では、第２の状態において、寝台部から離れる方向に延びるように、人体を支持する支持部を撮影ユニットに設けることによって、人体の中心近傍を第２撮影対象部位として撮影する場合において、寝台部から離れる方向に延びる支持部により、臥位の人体を支持させることができる。これにより、人体において安定的に臥位を維持させることができるので、第２撮影対象部位の撮影を安定的に行うことができる。
【００１６】
上記一の局面による画像診断用撮影装置において、好ましくは、第１撮影対象部位は、仰臥位の人体の頭部であり、第１の状態は、撮影部が人体の頭部を鉛直面内で取り囲む状態であり、第２撮影対象部位は、伏臥位の人体の乳房であり、第２の状態は、撮影部が人体の乳房を水平面内で取り囲む状態である。このように構成すれば、仰臥位の人体の頭部を、安定的に、かつ、確実に撮影することができる。また、伏臥位において人体の乳房を下垂させることができるので、人体の乳房の広範囲を、安定的に、かつ、確実に撮影することができる。
【発明の効果】
【００１７】
本発明によれば、上記のように、部品点数の増加および装置構成の複雑化を抑制することが可能な画像診断用撮影装置を提供することができる。
【図面の簡単な説明】
【００１８】
【図１】本発明の第１実施形態によるＰＥＴ装置の頭部撮影状態を示す模式的な断面図である。
【図２】本発明の第１実施形態によるＰＥＴ装置の頭部撮影状態を示す上面図である。
【図３】本発明の第１実施形態によるＰＥＴ装置の頭部撮影状態を撮影ユニット側から見た側面図である。
【図４】本発明の第１実施形態によるＰＥＴ装置のブロック図である。
【図５】本発明の第１実施形態によるＰＥＴ装置の乳房撮影状態を示す模式的な断面図である。
【図６】本発明の第１実施形態によるＰＥＴ装置の乳房撮影状態を示す上面図である。
【図７】本発明の第１実施形態によるＰＥＴ装置の乳房撮影状態を撮影ユニット側から見た側面図である。
【図８】本発明の第１実施形態によるＰＥＴ装置の撮影ユニットの回動動作を説明するための図である。
【図９】本発明の第１実施形態によるＰＥＴ装置の撮影ユニットの回動動作の回動中の状態を示した図である。
【図１０】本発明の第１実施形態によるＰＥＴ装置の撮影ユニットの回動動作を説明するための図である。
【図１１】本発明の第２実施形態によるＰＥＴ装置の頭部撮影状態を示す模式的な断面図である。
【図１２】本発明の第２実施形態によるＰＥＴ装置の乳房撮影状態を示す模式的な断面図である。
【図１３】本発明の第３実施形態によるＸ線撮影装置の胸部撮影状態を示す模式的な断面図である。
【図１４】本発明の第３実施形態によるＸ線撮影装置の乳房撮影状態を示す模式的な断面図である。
【発明を実施するための形態】
【００１９】
以下、本発明を具体化した実施形態を図面に基づいて説明する。
【００２０】
［第１実施形態］
（ＰＥＴ装置の概略）
図１〜図７を参照して、本発明の第１実施形態によるＰＥＴ装置１００の構成について説明する。なお、ＰＥＴ装置１００は、特許請求の範囲の「画像診断用撮影装置」の一例である。
【００２１】
ＰＥＴ装置１００は、陽電子放出核種により標識された薬剤を用いて、人体Ｔの内部の画像を撮影する装置である。具体的には、ＰＥＴ装置１００は、薬剤の電子と陽電子との対消滅によって生じる一対のガンマ線（放射線）を検出することによって、薬剤の対消滅が生じた位置を取得するように構成されている。そして、ＰＥＴ装置１００は、薬剤の対消滅が生じた位置を複数取得することによって、人体Ｔの内部の画像を形成する（撮影する）ように構成されている。そして、形成された画像は、がん細胞の有無などの画像診断に用いられる。なお、人体Ｔは、特許請求の範囲の「撮影対象」の一例である。
【００２２】
ここで、第１実施形態では、ＰＥＴ装置１００は、仰臥位の人体Ｔの頭部Ｔ１を撮影する頭部撮影状態と、伏臥位の人体Ｔの乳房Ｔ２を撮影する乳房撮影状態とに切り替えることが可能なように構成されている。なお、第１実施形態では、まず、図１〜図３に示す頭部撮影状態におけるＰＥＴ装置１００の構成について説明し、その後、図５〜図７に示すＰＥＴ装置１００の乳房撮影状態のうち、頭部撮影状態とは異なる点を説明する。なお、頭部Ｔ１および乳房Ｔ２は、それぞれ、特許請求の範囲の「第１撮影対象部位」および「第２撮影対象部位」の一例である。また、頭部撮影状態および乳房撮影状態は、それぞれ、特許請求の範囲の「第１の状態」および「第２の状態」の一例である。
【００２３】
（ＰＥＴ装置（頭部撮影状態）の構成）
ＰＥＴ装置１００は、図１〜図３に示すように、撮影ユニット１と、撮影対象としての人体Ｔが臥位で配置される寝台部２と、撮影ユニット１を回動させるための回動機構部３とを備えている。また、ＰＥＴ装置１００は、図４に示すように、ＰＥＴ装置１００の全体の制御を行う制御部４と、撮影ユニット１からの検出信号に基づいて画像を作成する画像処理部５とを備えている。
【００２４】
撮影ユニット１は、寝台部２のＸ方向の一方側（Ｘ１側）に配置されている。また、撮影ユニット１は、図３に示すように、筐体１０と、筐体１０内部に配置される複数（第１実施形態では、１４個）の検出部１１とを含んでいる。なお、検出部１１は、特許請求の範囲の「撮影部」の一例である。
【００２５】
筐体１０には、図１に示すように、人体Ｔの撮影対象部位（頭部Ｔ１または乳房Ｔ２）が配置される撮影領域１０ａが形成されている。この撮影領域１０ａは、筐体１０を貫通する孔部から構成されている。なお、撮影領域１０ａは、頭部撮影状態において、水平方向のうち、寝台部２が延びるＸ方向に筐体１０を貫通している。
【００２６】
また、筐体１０のＸ１側（寝台部２とは反対側）には、頭部支持部１０ｂが設けられている。この頭部支持部１０ｂは、図１〜図３に示す頭部撮影状態において、筐体１０のＸ１側で、かつ、下方（Ｚ２側）の角部から、下方に延びるように形成されている。また、頭部支持部１０ｂは、板状に形成されている。なお、頭部支持部１０ｂは、図１〜図３に示す頭部撮影状態において、人体Ｔの頭部Ｔ１を支持していない。なお、頭部支持部１０ｂは、特許請求の範囲の「支持部」の一例である。
【００２７】
検出部１１は、薬剤の対消滅によって生じるガンマ線を検出（収集）するとともに、制御部４を介して、検出信号を画像処理部５に送信する機能を有している。また、図１に示すように、頭部撮影状態において、複数の検出部１１は、各々、Ｘ方向に延びる撮影領域１０ａの略全体に亘るように、Ｘ方向に延びている。
【００２８】
また、図３に示すように、複数の検出部１１は、筐体１０内部において、撮影領域１０ａを取り囲むように配置されている。なお、頭部撮影状態では、複数の検出部１１は、撮影領域１０ａ内に配置された仰臥位の人体Ｔの頭部Ｔ１を、撮影領域１０ａの延びるＸ方向に対して直交する鉛直面内で取り囲むように、配置されている。これにより、薬剤の対消滅によって互いに反対方向に放出される一対のガンマ線を、対向する一対の検出部１１により確実に検出することが可能である。この結果、検出部１１によりガンマ線を検出（撮影）することによって、頭部Ｔ１の内部画像が取得されるように、ＰＥＴ装置１００は構成されている。
【００２９】
寝台部２は、天板部２０と、天板部２０を支持する基台部２１とを含んでいる。天板部２０は、図２に示すように、平面視において、長手方向（Ｘ方向）に長い矩形状に形成されている。この天板部２０は、上面２０ａに人体Ｔが伏臥位、仰臥位または横臥位などの臥位で横たわることが可能なように構成されている。また、図１に示すように、天板部２０の長手方向のＸ１側（撮影ユニット１側）の端部２０ｂには、ヘッドレスト部２２が着脱可能に取り付けられている。ヘッドレスト部２２は、人体の頭部を支持する支持部２２ａと段差部２２ｂとを有している。ヘッドレスト部２２では、段差部２２ｂにより、支持部２２ａが天板部２０の上面２０ａよりも所定の高さだけ上方（Ｚ１側）に位置するように構成されている。また、ヘッドレスト部２２は、ガンマ線を吸収しない素材（たとえば、カーボン）から構成されている。
【００３０】
基台部２１は、天板部２０の下方に配置されている。この基台部２１は、天板部２０の上面２０ａの水平状態を維持した状態で、天板部２０を上下方向（Ｚ方向）および長手方向（Ｘ方向）に移動させる機能を有している。なお、基台部２１は、図４に示すように、上下方向駆動部２１ａと、水平方向駆動部２１ｂとを有している。基台部２１では、制御部４により上下方向駆動部２１ａまたは水平方向駆動部２１ｂが駆動されることによって、天板部２０が上下方向またはＸ方向に移動されるように構成されている。これにより、頭部撮影状態において、天板部２０に人体Ｔが臥位（仰臥位）で横たわった状態で、天板部２０をＸ方向に移動させることによって、人体Ｔの頭部Ｔ１を撮影領域１０ａの所望の位置に配置することが可能である。また、ＰＥＴ装置１００により、仰臥位で頭部Ｔ１が撮影されるので、安定的に固定した状態で、頭部Ｔ１を撮影することが可能である。これにより、頭部Ｔ１の鮮明な画像を得ることが可能である。
【００３１】
回動機構部３は、図１〜図３に示すように、撮影ユニット１を回動させるための回動軸部３０と、回動軸部３０を介して撮影ユニット１を支持する一対の支持壁３１と、回動軸部３０を回動させるための回動方向駆動部３２（図４参照）とを含んでいる。回動軸部３０は、図１に示すように、頭部撮影状態において、撮影領域１０ａのＸ１側の開口１０ｃ近傍の下方に配置されている。また、回動軸部３０は、上下方向において、天板部２０の上面２０ａと略同じ位置（高さ位置）に配置されている。また、図２および図３に示すように、回動軸部３０は、筐体１０を長手方向と直交する短手方向（Ｙ方向）に貫通するように設けられている。
【００３２】
一対の支持壁３１は、撮影ユニット１を短手方向に挟み込むように配置されている。支持壁３１は、上下方向に延びるように形成されている。
【００３３】
ここで、第１実施形態では、回動機構部３は、図１〜図３の頭部撮影状態の撮影ユニット１を、回動軸部３０を回動中心として、図１の側面視の状態から時計回り（頭部支持部１０ｂが寝台部２から離れる回動方向）Ｒ１に約９０度回動させることによって、撮影ユニット１を、図５〜図７の乳房撮影状態に切り替えるように構成されている。また、回動機構部３は、図５〜図７の乳房撮影状態の撮影ユニット１を、回動軸部３０を回動中心として、図５の側面視の状態から反時計回り（頭部支持部１０ｂが下方に移動する回動方向）Ｒ２に約９０度回動させることによって、撮影ユニット１を、図１〜図３の頭部撮影状態に切り替えるように構成されている。また、回動機構部３は、図示しない固定機構部により、撮影ユニット１の状態（頭部撮影状態および乳房撮影状態のいずれか）を維持可能なように構成されている。
【００３４】
（ＰＥＴ装置（乳房撮影状態）の構成）
この結果、図５〜図７に示す乳房撮影状態は、図１〜図３の頭部撮影状態の撮影ユニット１が約９０度回動した状態となる。具体的には、乳房撮影状態において、撮影ユニット１の撮影領域１０ａは、図５に示すように、寝台部２の天板部２０の上面２０ａと直交する上下方向（Ｚ方向）に延びるように，筐体１０を貫通している。これにより、伏臥位の人体Ｔの乳房Ｔ２が下垂の状態で撮影領域１０ａ内に配置することが可能なように、ＰＥＴ装置１００は構成されている。
【００３５】
また、乳房撮影状態において、撮影ユニット１の複数の検出部１１は、図６に示すように、撮影領域１０ａ内に配置された伏臥位の人体Ｔの乳房Ｔ２を、撮影領域１０ａの延びるＺ方向に対して直交する水平面内で取り囲むように、配置されている。この結果、検出部１１によりガンマ線を検出（撮影）することによって、乳房Ｔ２の内部画像が取得されるように、ＰＥＴ装置１００は構成されている。
【００３６】
また、乳房撮影状態において、撮影ユニット１の筐体１０では、図５に示すように、支持面１０ｄが、寝台部２の上面２０ａより若干上方（Ｚ１側）に位置するように構成されている。なお、支持面１０ｄは、図１〜図３の頭部撮影状態において、Ｘ１側に位置する面である。また、乳房撮影状態において、頭部支持部１０ｂは、支持面１０ｄから寝台部２から離れるＸ１側に延びるように構成されている。これにより、頭部支持部１０ｂおよび支持面１０ｄにより、伏臥位の人体Ｔの頭部Ｔ１および上半身が支持されるように構成されている。
【００３７】
また、乳房撮影状態において、複数の検出部１１は、各々、Ｚ方向に延びる撮影領域１０ａの略全体に亘るように、Ｚ方向に延びている。また、乳房撮影状態において、ヘッドレスト部２２は、天板部２０から取り外されている。これにより、ヘッドレスト部２２の高さ分、伏臥位の人体Ｔの乳房Ｔ２が撮影領域１０ａ内に配置されなくなるのが防止される。また、乳房撮影状態において、回動軸部３０は、撮影領域１０ａのＺ１側の開口１０ｃ近傍のＸ１側に配置されている。
【００３８】
（回動動作）
次に、図１、図５および図８〜図１０を参照して、第１実施形態のＰＥＴ装置１００の撮影ユニット１における回動動作について、具体的に説明する。
【００３９】
図１に示す頭部撮影状態のＰＥＴ装置１００の撮影ユニット１において、図８に示すように、人体Ｔが寝台部２に位置しない状態で、制御部４（図４参照）により水平方向駆動部２１ｂ（図４参照）が駆動される。これにより、寝台部２の天板部２０が撮影ユニット１から離れたＸ２側に移動される。この際、少なくとも、回動時に撮影ユニット１の筐体１０が天板部２０に接触しない位置まで、天板部２０がＸ２側に移動される。そして、ヘッドレスト部２２が、天板部２０のＸ１側の端部２０ｂから取り外される。
【００４０】
その後、図９に示すように、制御部４により回動方向駆動部３２（図４参照）が駆動されて、回動軸部３０を回動中心として、撮影ユニット１をＲ１方向に約９０度だけ回動させる。これにより、撮影領域１０ａが、Ｘ方向に延びる状態から、Ｚ方向に延びる状態に切り替えられる。最後に、制御部４により水平方向駆動部２１ｂを駆動させて、寝台部２の天板部２０を撮影ユニット１に近づくＸ１側に移動させる。これにより、図５に示す乳房撮影状態に撮影ユニット１が切り替わる。その後、適宜、天板部２０をＸ方向に移動させることによって、仰臥位の人体Ｔの頭部Ｔ１を、撮影領域１０ａの所望の位置に配置させる。
【００４１】
なお、ＰＥＴ装置１００の撮影ユニット１を、図５に示す乳房撮影状態から図１に示す頭部撮影状態に切り替える場合には、上記切替と逆の動作が行われる。つまり、図５に示す乳房撮影状態の撮影ユニット１において、図１０に示すように、人体Ｔが寝台部２に位置しない状態で、制御部４により水平方向駆動部２１ｂを駆動させる。これにより、寝台部２の天板部２０が撮影ユニット１から離れたＸ２側に移動される。この際、少なくとも、回動時に撮影ユニット１の筐体１０が天板部２０に接触しない位置まで、天板部２０がＸ２側に移動される。
【００４２】
その後、図９に示すように、制御部４により回動方向駆動部３２を駆動させて、回動軸部３０を回動中心として、撮影ユニット１をＲ２方向に約９０度だけ回動させる。これにより、撮影領域１０ａが、Ｚ方向に延びる状態から、Ｘ方向に延びる状態に切り替えられる。そして、ヘッドレスト部２２が、天板部２０のＸ１側の端部２０ｂに取り付けられる。最後に、制御部４により水平方向駆動部２１ｂを駆動させて、寝台部２の天板部２０を撮影ユニット１に近づくＸ１側に移動させる。これにより、図１に示す頭部撮影状態に撮影ユニット１が切り替わる。その後、乳房Ｔ２が撮影領域１０ａ内で下垂するように、人体Ｔが、天板部２０、頭部支持部１０ｂおよび支持面１０ｄ上に、伏臥位で配置される。
【００４３】
（第１実施形態の効果）
第１実施形態では、以下のような効果を得ることができる。
【００４４】
第１実施形態では、上記のように、ＰＥＴ装置１００に、撮影ユニット１を回動させることによって、人体Ｔの頭部Ｔ１を撮影する頭部撮影状態と、人体Ｔの頭部Ｔ１とは異なる乳房Ｔ２を撮影する乳房撮影状態とに撮影ユニット１を切り替えるための回動機構部３を設ける。これにより、回動機構部３により撮影ユニット１を回動させることによって、異なる撮影対象部位を撮影する状態に撮影ユニット１を切り替えることができるので、各々の人体Ｔの部位毎に専用の撮影ユニットを設ける必要がない。この結果、ＰＥＴ装置１００において、部品点数の増加および装置構成の複雑化を抑制することができるとともに、ＰＥＴ装置１００の導入コストを低減することができる。
【００４５】
また、第１実施形態では、上記のように、頭部撮影状態において頭部Ｔ１が配置され、乳房撮影状態において乳房Ｔ２が配置される撮影領域１０ａを取り囲むように、検出部１１を配置する。これにより、撮影領域１０ａを取り囲むように配置された検出部１１により、撮影領域１０ａに配置された頭部Ｔ１または乳房Ｔ２を確実に撮影することができる。
【００４６】
また、第１実施形態では、上記のように、撮影ユニット１の回動中心となる回動機構部３の回動軸部３０を、寝台部２の天板部２０の長手方向（Ｘ方向）と直交する短手方向（Ｙ方向）に延びるように撮影ユニット１に設ける。ここで、回動軸部３０が長手方向に延びる場合には、天板部２０のＸ１側に配置される回動軸部３０の支持壁３１を、天板部２０と干渉しないように配置する必要があり、その分、回動軸部３０および回動機構部３が大型化すると考えられる。これにより、回動軸部３０が長手方向に延びる場合と比べて、回動軸部３０および回動機構部３が大型化するのを抑制することができるので、ＰＥＴ装置１００が大型化するのをより抑制することができる。
【００４７】
また、第１実施形態では、上記のように、回動軸部３０を、頭部撮影状態の撮影ユニット１において、撮影領域１０ａの寝台部２とは反対側（Ｘ１側）の開口１０ｃ近傍に設ける。これにより、撮影ユニット１の回動範囲が寝台部２に近づくのを抑制することができるので、寝台部２により撮影ユニット１の回動が阻害されるのを抑制することができる。また、撮影領域１０ａの開口１０ｃ近傍に回動軸部３０を設けることによって、回動軸部３０周辺の狭い回動範囲内に撮影領域１０ａを位置させることができるので、撮影領域１０ａが寝台部２に対して離間するのを抑制することができる。
【００４８】
また、第１実施形態では、上記のように、回動軸部３０を、寝台部２の上面２０ａと略同じ高さ位置に設ける。これにより、撮影領域１０ａの開口１０ｃ近傍で、かつ、寝台部２の上面２０ａと略同じ高さ位置に回動軸部３０を設けることによって、寝台部２の上面２０ａから離間した高さ位置に回動軸部３０を設ける場合と比べて、撮影領域１０ａが寝台部２の上面２０ａに対して離間するのを抑制することができる。
【００４９】
また、第１実施形態では、上記のように、寝台部２の撮影ユニット１側（Ｘ１側）の端部２０ｂに着脱可能に取り付けられ、人体Ｔの頭部Ｔ１を支持するヘッドレスト部２２をＰＥＴ装置１００に設ける。これにより、ヘッドレスト部２２を寝台部２のＸ１側の端部２０ｂに装着した場合には、ヘッドレスト部２２の位置を調整することによって、臥位（仰臥位）の人体Ｔの頭部Ｔ１を撮影領域１０ａの適切な位置に配置することができる。この結果、頭部撮影状態において、検出部１１により臥位の人体Ｔの頭部Ｔ１を撮影しやすくすることができる。また、ヘッドレスト部２２を寝台部２のＸ１側の端部から取り外すことによって、ヘッドレスト部２２が撮影ユニット１の回動の妨げとなるのを防止することができる。
【００５０】
また、第１実施形態では、上記のように、撮影ユニット１に、乳房撮影状態において、寝台部２から離れる方向（Ｘ１側）に延びるように、人体Ｔの頭部Ｔ１を支持する頭部支持部１０ｂを設ける。これにより、人体Ｔの長手方向の中央近傍に位置する乳房Ｔ２を撮影する乳房撮影状態において、寝台部２から離れる方向に延びる頭部支持部１０ｂにより、臥位（伏臥位）の人体Ｔの頭部Ｔ１を支持させることができる。この結果、人体Ｔにおいて安定的に臥位を維持させることができるので、乳房Ｔ２の撮影を安定的に行うことができる。
【００５１】
また、第１実施形態では、上記のように、頭部撮影状態において、複数の検出部１１が人体Ｔの頭部Ｔ１を鉛直面内で取り囲むように、ＰＥＴ装置１００を構成する。これにより、仰臥位の人体Ｔの頭部Ｔ１を、安定的に、かつ、確実に撮影することができる。
【００５２】
また、第１実施形態では、上記のように、乳房撮影状態において、複数の検出部１１が人体Ｔの乳房Ｔ２を水平面内で取り囲むように、ＰＥＴ装置１００を構成する。これにより、伏臥位において人体Ｔの乳房Ｔ２を下垂させることができるので、人体Ｔの乳房Ｔ２の広範囲を、安定的に、かつ、確実に撮影することができる。なお、図６では、人体Ｔの両方の乳房Ｔ２を複数の検出部１１で取り囲んでいるが、片方の乳房のみを複数の検出部１１で取り囲む形態でもよい。
【００５３】
［第２実施形態］
次に、図１１および図１２を参照して、本発明の第２実施形態によるＰＥＴ装置２００の構成について説明する。第２実施形態では、上記第１実施形態とは異なり、頭部撮影状態において、回動軸部１３０が寝台部２側に設けられている例について説明する。なお、第１実施形態と同様の構成は、同じ符号を付して説明を省略する。また、ＰＥＴ装置２００は、特許請求の範囲の「画像診断用撮影装置」の一例である。
【００５４】
（ＰＥＴ装置（頭部撮影状態）の構成）
ＰＥＴ装置２００は、図１１に示すように、撮影ユニット１０１と、寝台部２と、撮影ユニット１０１を回動させるための回動機構部１０３とを備えている。撮影ユニット１０１は、筐体１１０と、筐体１１０内部に配置される複数の検出部１１１とを含んでいる。なお、検出部１１１は、特許請求の範囲の「撮影部」の一例である。
【００５５】
また、頭部撮影状態において、筐体１１０のＸ２側（寝台部２側）には、頭部支持部１１０ｂが設けられている。この頭部支持部１１０ｂは、図１１に示す頭部撮影状態において、筐体１１０のＸ２側で、かつ、上方（Ｚ１側）の角部から、上方に延びている。また、頭部支持部１１０ｂは、板状に形成されている。なお、頭部支持部１１０ｂは、頭部撮影状態において、人体Ｔの頭部Ｔ１を支持していない。なお、頭部支持部１１０ｂは、特許請求の範囲の「支持部」の一例である。
【００５６】
複数の検出部１１１は、第１実施形態の検出部１１とは異なり、頭部撮影状態において、Ｘ方向に延びる撮影領域１０ａのうち、頭部Ｔ１が挿入されるＸ２側の開口１１０ｃ近傍から中央近傍までＸ方向に延びるように形成されている一方、撮影領域１０ａのＸ１側の開口１１０ｅ近傍には形成されていない。
【００５７】
回動機構部１０３は、第１実施形態の回動軸部３０の代わりに、回動軸部１３０を含んでいる。回動軸部１３０は、頭部撮影状態において、撮影領域１０ａのＸ２側の開口１１０ｃ近傍の下方に配置されている。また、回動軸部１３０は、上下方向において、天板部２０の上面２０ａと略同じ位置（高さ位置）に配置されている。
【００５８】
ここで、第２実施形態では、回動機構部１０３は、図１１の頭部撮影状態の撮影ユニット１０１を、回動軸部１３０を回動中心として、図１１の側面視の状態から反時計回り（頭部支持部１１０ｂが寝台部２から離れる回動方向）Ｒ１１に約９０度回動させることによって、撮影ユニット１０１を、図１２の乳房撮影状態に切り替えるように構成されている。また、回動機構部１０３は、図１２の乳房撮影状態の撮影ユニット１０１を、回動軸部１３０を回動中心として、図１２の側面視の状態から時計回り（頭部支持部１１０ｂが上方に移動する回動方向）Ｒ１２に約９０度回動させることによって、撮影ユニット１０１を、図１１の頭部撮影状態に切り替えるように構成されている。つまり、第２実施形態のＰＥＴ装置２００は、第１実施形態の撮影ユニット１の回動方向と逆方向に撮影ユニット１０１が回動することによって、撮影ユニット１０１の状態が切り替わるように構成されている。
【００５９】
（ＰＥＴ装置（乳房撮影状態）の構成）
なお、図１２に示す乳房撮影状態は、図１１の頭部撮影状態の撮影ユニット１０１が約９０度回動した状態となる。具体的には、乳房撮影状態では、検出部１１１は、第１実施形態の検出部１１とは異なり、Ｚ方向に延びる撮影領域１０ａのうち、乳房Ｔ２が挿入されるＺ１側の開口１１０ｃ近傍から中央近傍までＺ方向に延びるように配置されている。この結果、検出部１１１は、頭部Ｔ１または乳房Ｔ２を撮影するために、頭部Ｔ１または乳房Ｔ２が挿入されない開口１１０ｅの近傍に配置される必要はなく、頭部Ｔ１または乳房Ｔ２が挿入される開口１１０ｃの近傍にのみ配置されていればよい。これにより、検出部１１１を小型化することができるので、検出部１１１の費用を低減でき、かつ、撮影ユニット１０１内の他の部材の配置の自由度を向上させることが可能である。
【００６０】
なお、第２実施形態では、ＰＥＴ装置２００は、頭部撮影状態の撮影ユニット１０１が第１実施形態の撮影ユニット１の回動方向Ｒ１と逆方向Ｒ１１に回動した際に、検出部１１１を除き、上記第１実施形態における乳房撮影状態のＰＥＴ装置１００と同様の位置関係になるように構成されている。なお、第２実施形態のＰＥＴ装置２００のその他の構成は、第１実施形態のＰＥＴ装置１００と同様である。また、第２実施形態のＰＥＴ装置２００の回動動作は、切替時の回動方向が逆になる点を除き、第１実施形態のＰＥＴ装置１００と同様であるので説明を省略する。
【００６１】
（第２実施形態の効果）
第２実施形態では、以下のような効果を得ることができる。
【００６２】
第２実施形態では、上記のように、ＰＥＴ装置２００に、撮影ユニット１０１を回動させることによって、人体Ｔの頭部Ｔ１を撮影する頭部撮影状態と、人体Ｔの頭部Ｔ１とは異なる乳房Ｔ２を撮影する乳房撮影状態とに撮影ユニット１０１を切り替えるための回動機構部１０３を設ける。これにより、第１実施形態と同様に、ＰＥＴ装置２００において、部品点数の増加および装置構成の複雑化を抑制することができる。
【００６３】
また、第２実施形態では、上記のように、回動軸部１３０を、頭部撮影状態の撮影ユニット１０１において、撮影領域１０ａの寝台部２側（Ｘ２側）の開口１１０ｃ近傍に設ける。これにより、回動機構部１０３の支持壁３１が、ＰＥＴ装置２００の寝台部２とは反対側（Ｘ１側）にはみ出るのを抑制することができるので、ＰＥＴ装置２００が大型化するのを抑制することができる。また、撮影領域１０ａの開口１１０ｃ近傍に回動軸部１３０を設けることによって、回動軸部１３０周辺の狭い回動範囲内に撮影領域１０ａを位置させることができるので、撮影領域１０ａが寝台部２に対して離間するのを抑制することができる。
【００６４】
また、第２実施形態では、上記のように、検出部１１１を、乳房撮影状態においてＺ方向に延びる撮影領域１０ａのうち、乳房Ｔ２が挿入されるＺ１側の開口１１０ｃ近傍から中央近傍までＺ方向に延びるように配置する。これにより、検出部１１１を小型化することができるので、検出部１１１の費用を低減でき、かつ、撮影ユニット１０１内の他の部材の配置の自由度を向上させることができる。なお、第２実施形態のその他の効果は、上記第１実施形態の効果と同様である。
【００６５】
［第３実施形態］
次に、図１３および図１４を参照して、本発明の第３実施形態によるＸ線撮影装置３００の構成について説明する。第３実施形態では、第１実施形態とは異なり、立位で撮影が行われるＸ線撮影装置３００について説明する。なお、Ｘ線撮影装置３００は、特許請求の範囲の「画像診断用撮影装置」の一例である。
【００６６】
（Ｘ線撮影装置の概略）
Ｘ線撮影装置３００は、体内においてＸ線の吸収度合が異なることを利用して、人体Ｔ内の画像（単純Ｘ線画像）を撮影する装置である。Ｘ線撮影装置３００において形成された画像は、画像診断に用いられる。
【００６７】
ここで、第３実施形態では、Ｘ線撮影装置３００は、立位の人体Ｔの胸部Ｔ３を撮影する胸部撮影状態と、立位の人体Ｔの乳房Ｔ２を撮影する乳房撮影状態とに切り替えることが可能なように構成されている。なお、第３実施形態では、まず、図１３に示す胸部撮影状態におけるＸ線撮影装置３００の構成について説明し、その後、図１４に示すＸ線撮影装置３００の乳房撮影状態のうち、胸部撮影状態とは異なる点を説明する。なお、胸部Ｔ３および胸部撮影状態は、それぞれ、特許請求の範囲の「第１撮影対象部位」および「第１の状態」の一例である。
【００６８】
（Ｘ線撮影装置（胸部撮影状態）の構成）
Ｘ線撮影装置３００は、図１３に示すように、撮影ユニット２０１と、撮影ユニット２０１を回動させるための回動機構部２０３とを備えている。また、Ｘ線撮影装置３００は、Ｘ線撮影装置３００の全体の制御を行う制御部（図示せず）と、撮影ユニット２０１からの検出信号に基づいて画像を作成する画像処理部（図示せず）とを備えている。
【００６９】
撮影ユニット２０１は、筐体２１０と、筐体２１０内部に配置される撮影部２１１とを含んでいる。筐体２１０の中心には、人体Ｔの撮影対象部位（胸部Ｔ３または乳房Ｔ２）が配置される撮影領域２１０ａが形成されている。この撮影領域２１０ａは、筐体２１０を貫通する孔部から構成されている。なお、撮影領域２１０ａは、図１３に示す胸部撮影状態において、上下方向（Ｚ方向）に延びるように筐体２１０を貫通している。
【００７０】
撮影部２１１は、胸部撮影状態において、Ｘ線を撮影領域２１０ａが位置する所定の方向（Ｗ方向）に向かって照射するＸ線源２１１ａと、Ｗ方向においてＸ線源２１１ａに対向する位置に配置され、Ｘ線を検出するＸ線検出部２１１ｂとを有している。つまり、Ｘ線源２１１ａとＸ線検出部２１１ｂとは、撮影領域２１０ａをＷ方向に挟み込むように配置されている。この結果、撮影領域２１０ａに配置された胸部Ｔ３の内部画像が取得されるように、Ｘ線撮影装置３００は構成されている。
【００７１】
回動機構部２０３は、撮影ユニット２０１を回動させるための回動軸部２３０と、回動軸部２３０を介して撮影ユニット２０１を支持する支持壁２３１と、支持壁２３１を上下方向（Ｚ方向）に移動させるための昇降機構部２３３とを含んでいる。昇降機構部２３３は、支持壁２３１の下方（Ｚ２側）に配置されている。また、図示しない回動方向駆動部により、回動軸部２３０を回動中心として、撮影ユニット２０１が回動されるように構成されている。
【００７２】
ここで、第３実施形態では、回動機構部２０３は、図１３の胸部撮影状態の撮影ユニット２０１を、回動軸部２３０を回動中心として、図１３の側面視の状態から反時計回りＲ２１に約９０度回動させることによって、撮影ユニット２０１を、図１４の乳房撮影状態に切り替えるように構成されている。また、回動機構部２０３は、図１４の乳房撮影状態の撮影ユニット２０１を、回動軸部２３０を回動中心として、図１４の側面視の状態から回動軸部２３０周りに時計回りＲ２２に約９０度回動させることによって、撮影ユニット２０１を、図１３の胸部撮影状態に切り替えるように構成されている。
【００７３】
（Ｘ線撮影装置（乳房撮影状態）の構成）
なお、図１４に示す乳房撮影状態は、図１３の胸部撮影状態の撮影ユニット２０１が約９０度回動した状態となる。具体的には、乳房撮影状態において、撮影ユニット２０１の撮影領域２１０ａは、Ｗ方向に延びるように筐体２１０を貫通している。また、乳房撮影状態において、Ｘ線源２１１ａとＸ線検出部２１１ｂとは、撮影領域２１０ａを上下方向（Ｚ方向）に挟み込むように、配置されている。これにより、撮影部２１１は、撮影領域２１０ａ内に配置され立位の人体Ｔの乳房Ｔ２を、上下方向に挟み込んだ状態で撮影を行うように構成されている。
【００７４】
（回動動作）
次に、図１３および図１４を参照して、第３実施形態のＸ線撮影装置３００の撮影ユニット２０１における回動動作について、具体的に説明する。
【００７５】
図１３に示す胸部撮影状態のＸ線撮影装置３００の撮影ユニット２０１において、回動軸部２３０を回動中心として、撮影ユニット２０１をＲ２１方向に約９０度だけ回動させる。これにより、撮影領域２１０ａがＺ方向に延びる状態から、Ｗ方向に延びる状態に切り替えられる。最後に、撮影領域２１０ａの上下方向の高さ位置を、立位の人体Ｔの乳房Ｔ２の高さ位置に合わせるように、昇降機構部２３３により支持壁２３１の上下方向の位置が調節される。これにより、図１４に示す乳房撮影状態にＸ線撮影装置３００の撮影ユニット２０１が切り替わる。
【００７６】
なお、Ｘ線撮影装置３００の撮影ユニット２０１を、図１４に示す乳房撮影状態から図１３に示す胸部撮影状態に切り替える場合には、上記切替と逆の動作が行われる。つまり、図１４に示す乳房撮影状態のＸ線撮影装置３００から、回動軸部２３０を回動中心として、撮影ユニット２０１をＲ２２方向に約９０度だけ回動させる。これにより、撮影領域２１０ａがＷ方向に延びる状態から、Ｚ方向に延びる状態に切り替えられる。最後に、撮影領域２１０ａの上下方向の高さ位置を、立位の人体Ｔの胸部Ｔ３の撮影する高さ位置に合わせるように、昇降機構部２３３により支持壁２３１の上下方向の位置が調節される。これにより、図１３に示す胸部撮影状態にＸ線撮影装置３００が切り替わる。
【００７７】
（第３実施形態の効果）
第３実施形態では、以下のような効果を得ることができる。
【００７８】
第３実施形態では、上記のように、Ｘ線撮影装置３００に、撮影ユニット２０１を回動させることによって、人体Ｔの胸部Ｔ３を撮影する胸部撮影状態と、人体Ｔの胸部Ｔ３とは異なる乳房Ｔ２を撮影する乳房撮影状態とに撮影ユニット２０１を切り替えるための回動機構部２０３を設ける。これにより、第１実施形態と同様に、Ｘ線撮影装置３００において、部品点数の増加および装置構成の複雑化を抑制することができる。
【００７９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８０】
たとえば、上記第１および第２実施形態では、本発明の「画像診断用撮影装置」の一例として、ＰＥＴ装置１００および２００をそれぞれ示し、上記第３実施形態では、本発明の「画像診断用撮影装置」の一例として、Ｘ線撮影装置３００を示したが、本発明はこれに限られない。本発明では、本発明の画像診断用撮影装置として、画像診断に用いられるＸ線ＣＴ（Ｃｏｍｐｕｔｅｄ  Ｔｏｍｏｇｒａｐｈｙ）装置、光ＣＴ装置、超音波ＣＴ装置、または、ＭＲＩ（Ｍａｇｎｅｔｉｃ  Ｒｅｓｏｎａｎｃｅ  Ｉｍａｇｉｎｇ）装置などに、本発明の構成を適用してもよい。
【００８１】
また、上記第１および第２実施形態では、撮影ユニット１および１０１を、人体Ｔの頭部Ｔ１（第１撮影対象部位）および乳房Ｔ２（第２撮影対象部位）をそれぞれ撮影するように頭部撮影状態および乳房撮影状態に切り替える例を示した。また、上記第３実施形態では、撮影ユニット２０１を、人体Ｔの胸部Ｔ３（第１撮影対象部位）および乳房Ｔ２（第２撮影対象部位）をそれぞれ撮影するように胸部撮影状態および乳房撮影状態に切り替える例を示したが、本発明はこれに限られない。本発明では、人体の異なる撮影対象部位を撮影可能に構成されていればよく、頭部、乳房および胸部以外の人体の撮影対象部位を撮影可能に構成されていてもよい。また、撮影対象は人体に限られない。たとえば、人間以外の動物の体が撮影対象であってもよい。
【００８２】
また、上記第１および第２実施形態では、ヘッドレスト部２２と、頭部支持部１０ｂおよび１１０ｂとを、ＰＥＴ装置（画像診断用撮影装置）１００および２００に設けた例を示したが、本発明はこれに限られない。本発明では、画像診断用撮影装置にヘッドレスト部または頭部支持部を設けなくてもよい。
【００８３】
また、上記第１〜第３実施形態では、撮影ユニット１（１０１、２０１）を第１の状態と第２状態とを切り替えるために、回動軸部３０（１３０、２３０）を回動中心として、約９０度回転させた例を示したが、本発明はこれに限られない。本発明では、回動角度は、約９０度以外の角度であってもよい。たとえば、第３実施形態において、傾斜した状態で乳房を撮影する場合には、約９０度未満の回動角度で撮影ユニットを回動させることによって、第１の状態（胸部撮影状態）と第２状態（乳房撮影状態）とを切り替えてもよい。
【００８４】
また、上記第１〜第３実施形態において、撮影領域１０ａおよび２１０ａを撮影対象部位に合わせて内径または形状が変化するように構成してもよい。たとえば、上記第１および第２実施形態において、頭部撮影状態の場合には、撮影ユニット１（１０１）における撮影領域１０ａの上下方向の幅を大きくし、乳房撮影状態の場合には、撮影ユニット１（１０１）における撮影領域１０ａの水平方向の幅を小さくするように、画像診断用撮影装置（ＰＥＴ装置１００（２００））を構成してもよい。上記のように画像診断用撮影装置を構成することによって、より容易かつ詳細に、撮影対象部位（頭部または乳房）を撮影することが可能である。
【００８５】
また、上記第１および第２実施形態では、回動軸部３０および１３０を、寝台部２の上面２０ａと略同じ高さ位置に設けた例を示したが、本発明はこれに限られない。本発明では、撮影ユニットを回動可能に構成されていれば、回動軸部の位置は特に限定されない。
【符号の説明】
【００８６】
１、１０１、２０１  撮影ユニット
２  寝台部
３、１０３、２０３  回動機構部
１０ａ、２１０ａ  撮影領域
１０ｂ、１１０ｂ  頭部支持部（支持部）
１０ｃ、１１０ｃ  開口
１１、１１１  検出部（撮影部）
２０ａ  上面
２２  ヘッドレスト部
３０、１３０，２３０  回動軸部
１００、２００  ＰＥＴ装置（画像診断用撮影装置）
２１１  撮影部
３００  Ｘ線撮影装置（画像診断用撮影装置）
Ｔ  人体（撮影対象）
Ｔ１  頭部（第１撮影対象部位）
Ｔ２  乳房（第２撮影対象部位）
Ｔ３  胸部（第１撮影対象部位）
【図１】
2018031656.tif 000003
【図２】
2018031656.tif 000004
【図３】
2018031656.tif 000005
【図４】
2018031656.tif 000006
【図５】
2018031656.tif 000007
【図６】
2018031656.tif 000008
【図７】
2018031656.tif 000009
【図８】
2018031656.tif 000010
【図９】
2018031656.tif 000011
【図１０】
2018031656.tif 000012
【図１１】
2018031656.tif 000013
【図１２】
2018031656.tif 000014
【図１３】
2018031656.tif 000015
【図１４】
2018031656.tif 000016